(57)【要約】【課題】  従来の車いすは、乗降の都度介助者が手でステップを開閉しなければならないという問題があった。これは、介助者の手に汚れが付着して衛生環境が不潔となる。又、車いすのブレーキをかけていても、乗員を抱えて乗降する時に乗員の衣服が接触すると、車いすが逃げ移動して乗降には危険を伴っていた。【解決手段】 車いすの車体に回転支持体を設け、この支持体に前面に足載せ台を有する足載せ体を、後面には足踏み台を有する足踏み体を結合し、足載せ体を車いすの車体に設けた停止体で固定する構成とした。尚、停止体は足踏み台の踏み込みによって固定解除ができ下降時には足載せ台が地面に接地する構成としてある。車いすの乗降時に介助者は足のみの操作でステップを昇降でき、手でステップを触れることがなくなり衛生的である。又、乗降時には介助者が足で接地しているステップを踏み付けることによって、車いすの逃げ移動を防止でき安全に乗降できる。【選択図】図３
2007037749.tif 000002
【特許請求の範囲】
【請求項１】
乗員が座るシートと背もたれと肘掛を配設する座席部と、左右に一対のキャスター車輪と大車輪とを備えた車いす本体と、前記車いす本体に回転軸を有する支持体を設け、前記車いすの前面に前記支持体の回転軸に結合した足載せ台を形成した足載せ体と、前記車いすの後面に前記支持体の回転軸に結合した足踏み台を形成した足踏み体と、前記足載せ体を車いす本体に設けた停止体で固定・解除ができる構成にして、介助者が足踏み体を踏むことによって、足載せ体が上下動するようにした車いすの足載せ機構。
【請求項２】
足載せ体が下降した時には、足載せ体に設けた足載せ台は地面に接地するようにした請求項１記載の車いすの足載せ方法。    
【発明の詳細な説明】
【技術分野】
【０００１】
本発明は、車いすの足載せ台の操作の簡易化及び安全と衛生化を図った足載せ方法・機構に関する。
【背景技術】
【０００２】
従来の車いすの足載せ台は、支軸で開閉する足載せ台が一般的であるが、他の方法として足載せ台に支持体を設けて外側に開閉するものがある。（例えば、非特許文献１参照。）
また、容易に足載せ台の支持体を取り外せるものもある。（例えば、非特許文献２参照。）
【０００３】
以下、図５、図６、図７、図８、図９により従来の車いすの足載せ台について説明する。図５、図６において、５１は車いす本体に設けた支軸で足載せ台５２が外側に旋回開閉できるように支持されている。
【０００４】
図７、図８においては、７１は車いす本体に設けた旋回支持体で、足載せ台７２の支持体７３が前記旋回支持体に嵌め合わせてあり、外側に旋回して開閉するように構成されている。
【非特許文献１】「車いす総合カタログ」、株式会社カワムラサイクル、Ｖｏｌ１１、ｐ，３１
【０００５】
図９においては、９１は車いす本体に設けた支持体で、足載せ台９２の支持体９３が前記支持体に嵌め合わせてあり、車いす本体から容易に取り外せるように構成されている。    
【非特許文献２】「ＭＩＫＩ車いす総合カタログ」、株式会社ミキ、０４０５、ｐ，２９
【発明の開示】
【発明が解決しようとする課題】
【０００６】
以上に述べた従来の車いすの足載せ台においては、乗員の搭乗の前に介助者が足載せ台を開いたり、取り外しておかなければならず、乗員を座席に座らせると介助者が乗員の足を持ち上げて足載せ台を閉じたり、又は足載せ台を取り付けてから、乗員の足を足載せ台に置かなければならない等の煩雑な作業が必要とされた。又、介助者は足載せ台や乗員の足を直接手で触れるので安全衛生上からも問題を有していた。更に、介助者が乗員を抱えての車いすへの乗降時には、車いすが軽量である為に車いすのブレーキ固定を充分に効かしても、乗員の衣服が触れると車いすは逃げ移動して、乗員・介助者共に危険を伴った作業であった。
【０００７】
本発明は、このような従来の構成が有していた問題を解決しようとするものであり、乗員にとって安全であり、介助者にとっては足載せ台に触れることなく簡便にしかも、安全で衛生的な車いすの足載せ装置を実現することを目的とするものである。
【課題を解決するための手段】
【０００８】
そして、本発明は上記目的を達成するために乗員が座るシートと背もたれと肘掛けを配設する座席部と、左右に一対のキャスター車輪と大車輪とを備えた車いす本体に、回転軸を有する支持体を取り付け、車いす本体の前面に前記支持体の回転軸に結合した足載せ台を有する足載せ体と、車いす本体の後面に前記支持体の回転軸に結合した足踏み台を形成した足踏み体を配設し、前記足載せ体を車いす本体に取り付けた停止体で上昇時に固定し、下降時には足踏み台を踏むことで解除ができる構成としたものである。
【０００９】
また、第２の課題解決手段は、停止体を解除して足載せ体が下降した時足載せ台の底面
が地面に接地することを特徴とするものである。
【００１０】
上記第１の課題解決手段による作用は次の通りである。すなわち、乗員を車いすに搭乗させる時、介助者は後面の足踏み台を踏み込んで停止体を解除し、踏み込んだ足を持ち上げると足踏み体が上昇して、回転支持体に結合した足載せ体が下降し、足載せ台が地面に接地する。乗員を座席に座らせ介助者が車いす後面の足踏み台を踏み込めば、回転支持体に結合した足載せ体が上昇し、乗員の足を乗せた足載せ台が一定位置まで上昇する。
足載せ体が一定位置にまで上昇すると、停止体が自動的に作用して足載せ体を固定する。乗員を車いすに乗降させるこの一連の作用は、足載せ台は介助者の足踏み動作のみで乗降が完結され、介助者は足載せ台や乗員の足に触れないでよく、簡便・安全で衛生的に乗員を車いすから乗降させることができる。
【００１１】
また、第２の課題解決手段による作用は、足載せ台の底面が地面に接地することを特徴とする方法であるから、乗員を抱えて座席に乗せる又は降ろす時には、介助者は足載せ台を踏み付けることで、車いすがより強固に固定できるので安全に車いすの乗降ができるという効果を発揮する。
【００１２】
上述したように本発明の車いすの足載せ機構は、介助者が足踏み台を踏むだけで足載せ台を昇降し停止固定するから、従来の足載せ台の開閉や乗員の足を持ち上げ降ろす等の介助者の煩雑な手作業が一切不要とするとともに、併せて介助者の手の汚れを防止するので簡便で衛生的な車いすを提供できる。
【００１３】
また、足載せ台が地面に接地するので、接地した足載せ台を介助者が踏み付けることで、車いすの逃げ移動が防止でき、安心して車いすの乗降が安全にできるという効果を発揮するものである。
【発明を実施するための最良の形態】
【００１４】
以下、本発明の実施の形態を図１〜図４に基づいて説明する。
【００１５】
図においては、１は乗員が座るシートで、背もたれ２、肘掛３で構成する座席部と、車体フレーム４と左右一対のキャスター車輪５、大車輪６、及びブレーキ７によって車いす本体が形成され、車体フレーム４の中央付近に回転支持体８、また車体フレーム４の前部には停止支持体９が取り付けられている。
【００１６】
１０は足載せ体で前部に足載せ台１１と中央付近に停止ローラー１２を備え、前記回転支持体８の回転軸８Ａに結合されている。
【００１７】
また、１３は足踏み体で後部に足踏み台１４を備え、前記回転支持体８の回転軸８Ｂに結合され、バネＡ１５で足載せ体１０と連結している。
【００１８】
１６は停止体で前記停止支持体９に軸止めし、同様に停止支持体９に軸止めした反動支持体１７とバネＢ１８で連結し、停止体９が前後に振れる時連動して反動支持体１７が作用して、停止体９をインターロックする構成としている。
【００１９】
ここで停止体１６は後方に振れる時、前記足載せ体１０の停止ローラー１２を固定支持し、前方に振れれば停止ローラー１２を解除するように構成してある。
【００２０】
１９は前記停止体１６の操作棒Ａで、他端を前記足踏み体１３に取り付け足踏み体１３を踏み込みバネＡ１５が伸びる時、停止体１６を前方に押す構成としてある。又、２０は
前記反動支持体１７の操作棒Ｂで、他端を前記足踏み体１３に取り付けてあり、足踏み体１３が持ち上がり足載せ台１４が接地する時、反動支持体１７を後方に引く構成としてある。
【００２１】
以下、上記構成の動作を説明する。足載せ台１１を下降させるには、足載せ体１０の停止ローラー１２に停止体１６が支持状態で作用しロックされているから、足踏み台１４をバネＡ１５が伸びる程度にまで踏み込むと操作棒Ａ１９が停止体１６を前方に押し出して停止ローラー１２の支持状態から解除される。停止体１６が前方に振れるとバネＢ１８の作用で反動支持体１７が前方に移り解除状態がインターロックされる。この状態で足踏み台１４の踏み込み圧力を弱めると、バネＡ１５が復帰し次いで足載せ体１０が下降して、足載せ台１１が接地する。この時操作棒Ｂ２０で反動支持体１７を後方に引き、バネＢ１８の作用で停止体１６を後方に引く作用でインターロックしている。地面に接地した足載せ台１１を上昇させるには、足載せ台１４に乗った乗員の足の荷重以上の力で、足踏み台１４を踏み込むと足載せ台１１が上昇し、定位置にまで上昇すると停止ローラー１２にインターロック状態の停止体１６が固着する。
【００２２】
上述のように、足載せ台１１は足踏み台１４を介助者が足で踏むだけで、上昇の定位置で固定され、介助者が足踏み台１４を踏み込むだけで解除され、足載せ台１１が下降し地面に接地動作するので、介助者は乗員の乗降の都度手で足載せ台１１の開閉や、乗員の足を手で持ち上げる動作から開放され、手を汚すこともなく衛生的にしかも簡便に乗員を車いすから乗降させることができる。
【００２３】
また、足載せ台１１は地面に接地するから、介助者は乗員が車いすから乗降時には、足載せ台１１を踏んで車いす本体を固定できるから、乗降時に車いすがずれて乗員を座席に乗せられない等の危険を避けられるという効果を発揮する。以上のように、本実施形態によれば介助者は足踏み台１４を踏み込むだけで簡便に且つ衛生的に足載せ台１１を昇降させられるものである。
【図面の簡単な説明】
【００２４】
【図１】本発明の実施形態を示す車いすの足載せ台上昇固定状態の側断面図
【図２】同足載せ台固定解除の側断面図
【図３】同車いすの全方から見た外観図
【図４】同足載せ台下降接地の側断面図
【図５】従来の車いすの足載せ台垂直開閉の正面図
【図６】同足載せ台垂直開閉の側面図
【図７】同足載せ台水平開閉方法の側面図
【図８】同足載せ台水平開閉方法の上面図
【図９】同足載せ台着脱方法の側面図
【符号の説明】
【００２５】
１    座席シート
２    背もたれ
３    肘掛け
４    車体フレーム
５    キャスター車輪
６    大車輪
７    ブレーキ
８    回転支持体
８Ａ  軸Ａ
８Ｂ  軸Ｂ
９    停止支持体
１０    足載せ体
１１    足載せ台
１２    停止ローラー
１３    足踏み体
１４    足踏み台
１５    バネＡ
１６    停止体
１７    反動体
１８    バネＢ
１９    操作棒Ａ
２０    操作棒Ｂ
【図１】
2007037749.tif 000003
【図２】
2007037749.tif 000004
【図３】
2007037749.tif 000005
【図４】
2007037749.tif 000006
【図５】
2007037749.tif 000007
【図６】
2007037749.tif 000008
【図７】
2007037749.tif 000009
【図８】
2007037749.tif 000010
【図９】
2007037749.tif 000011